(57)【要約】      （修正有）【課題】第一抽選後の第二抽選に容易に応募することを可能にする。【解決手段】デジタルサイネージ装置において、非接触通信部により携帯端末が検出されると、制御部は、携帯端末に記憶されているＩＤ情報及び抽選可能回数を非接触通信部により読み取り（Ｓ３）、読み取った回数分の第一抽選を実施する（Ｓ４）。はずれが存在した場合、制御部は、ＩＤ情報とはずれ回数をサーバ装置に送信し、はずれ情報記憶部のＩＤ情報に対応するはずれ券の枚数に加算を行わせる（Ｓ９）。加算の結果、はずれ券の枚数≧ｎとなった場合、制御部は、第二抽選の応募ページのＵＲＬを非接触通信部により携帯端末に送信する（Ｓ１５）。【選択図】図７
2016062286.tif 000002
【特許請求の範囲】
【請求項１】
第一抽選を行う第一抽選手段と、
前記第一抽選のはずれ情報を記憶する記憶手段と、
前記記憶手段に記憶されているはずれ情報に基づいて、第二抽選の応募関連情報を出力する出力手段と、
を備える抽選装置。
【請求項２】
前記出力手段は、前記記憶手段に記憶されているはずれ情報が所定の条件を満たした場合に、前記第二抽選の応募関連情報を出力する請求項１に記載の抽選装置。
【請求項３】
前記応募関連情報は、前記第二抽選に応募するための応募情報を入力するための入力画面又は当該入力画面の表示に係る情報である請求項１又は２に記載の抽選装置。
【請求項４】
前記入力画面から入力された応募情報を記憶する応募情報記憶手段と、
所定期間内に前記応募情報記憶手段に蓄積された応募情報に基づいて第二抽選を行う第二抽選手段と、
を備える請求項３に記載の抽選装置。
【請求項５】
前記記憶手段は、前記第一抽選の参加者を識別するためのＩＤ情報と、前記参加者の前記第一抽選のはずれ回数に基づくはずれ情報とを対応付けて記憶するものであり、
前記第一抽選の参加者を識別するためのＩＤ情報を取得する取得手段と、
前記第一抽選の参加者が前記第一抽選にはずれた場合に、前記取得手段により取得されたＩＤ情報に対応付けて前記記憶手段に記憶されているはずれ情報に加算を行う加算手段と、を備え、
前記出力手段は、前記加算手段による加算の結果、前記取得手段により取得されたＩＤ情報に対応するはずれ情報が所定の条件を満たした場合に、前記第二抽選の応募関連情報の出力を行う請求項１〜４の何れか一項に記載の抽選装置。
【請求項６】
前記第一抽選には、はずれの種類が複数存在し、
前記加算手段は、前記第一抽選の参加者が前記第一抽選にはずれた場合に、前記取得手段により取得されたＩＤ情報に対応付けて前記記憶手段に記憶されているはずれ情報に、前記第一抽選におけるはずれの種類に応じた加算を行う請求項５に記載の抽選装置。
【請求項７】
前記取得手段は、前記第一抽選の参加者の携帯端末から非接触通信により前記携帯端末固有のＩＤ情報を読み取ることにより前記第一抽選の参加者を識別するためのＩＤ情報を取得する請求項５又は６に記載の抽選装置。
【請求項８】
前記携帯端末には、前記第一抽選の抽選可能回数が記憶されており、
前記取得手段は、前記携帯端末から、更に前記第一抽選の抽選可能回数を取得し、
前記第一抽選手段は、前記取得手段により取得された抽選可能回数分の第一抽選を行う請求項７に記載の抽選装置。
【請求項９】
前記出力手段は、前記第一抽選の参加者の携帯端末に前記第二抽選の応募関連情報を送信する送信手段である請求項１〜８の何れか一項に記載の抽選装置。
【請求項１０】
前記送信手段は、前記携帯端末と非接触通信を行って前記携帯端末に前記第二抽選の応募関連情報を送信する請求項９に記載の抽選装置。
【請求項１１】
前記出力手段は、前記第二抽選の応募関連情報を表示する表示手段である請求項１〜８の何れか一項に記載の抽選装置。
【請求項１２】
第一抽選を行う工程と、
前記第一抽選のはずれ情報を記憶手段に記憶する工程と、
前記記憶手段に記憶されているはずれ情報に基づいて、第二抽選の応募関連情報を出力する工程と、
を含む抽選方法。
【請求項１３】
コンピュータを、
第一抽選を行う第一抽選手段、
前記第一抽選のはずれ情報を記憶する記憶手段、
前記記憶手段に記憶されているはずれ情報に基づいて、第二抽選の応募関連情報を出力する出力手段、
として機能させるためのプログラム。
【発明の詳細な説明】
【技術分野】
【０００１】
本発明は、抽選装置、抽選方法、及びプログラムに関する。
【背景技術】
【０００２】
従来、店頭等で第一のくじ（第一抽選）を行ってはずれた場合、応募券が配布され、所定枚数の応募券を集めた場合に、第二のくじ（第二抽選）に応募できるものが知られている。
【０００３】
また、最近では、コンピュータを利用した抽選システムも知られている。例えば、特定の本数に制限された有限商品と本数に制限のない無限商品のクーポンが当たる抽選システムがある（例えば、特許文献１参照）。
【先行技術文献】
【特許文献】
【０００４】
【特許文献１】特開２００３−２２８７７３号公報
【発明の概要】
【発明が解決しようとする課題】
【０００５】
しかしながら、第一のくじではずれた場合に第二のくじに応募するには、応募資格が得られるまで応募券をユーザ（顧客）が管理しなければならず、応募券を紛失すると応募ができなくなってしまうという問題がある。また、応募資格となる所定枚数の応募券を封筒に入れて必要事項を記入して所定の宛先に送付したり、応募ページのＵＲＬ（Uniform Resource Locator）を入力してアクセスを行い所定枚数の応募券に記載された長いシリアル番号を入力したりしなければならず、手間がかかる。
【０００６】
特許文献１に記載の抽選システムでは、外れたらそれで終わりであり、上述の問題は解決できない。
【０００７】
本発明の課題は、第一抽選後の第二抽選に容易に応募できるようにすることである。
【課題を解決するための手段】
【０００８】
上記課題を解決するため、請求項１に記載の発明の抽選装置は、
第一抽選を行う第一抽選手段と、
前記第一抽選のはずれ情報を記憶する記憶手段と、
前記記憶手段に記憶されているはずれ情報に基づいて、第二抽選の応募関連情報を出力する出力手段と、
を備える。
【発明の効果】
【０００９】
本発明によれば、第一抽選後の第二抽選に容易に応募することが可能となる。
【図面の簡単な説明】
【００１０】
【図１】本実施形態における抽選システムの全体構成例を示す図である。
【図２】図１のサーバ装置の機能的構成を示すブロック図である。
【図３】（ａ）は、はずれ情報記憶部のデータ格納例を示す図、（ｂ）は、第二抽選応募情報記憶部のデータ格納例を示す図である。
【図４】図１のデジタルサイネージ装置の機能的構成を示すブロック図である。
【図５】図４のスクリーン部の概略構成を示す図である。
【図６】図１の携帯端末の機能的構成を示すブロック図である。
【図７】図４の制御部により実行される抽選処理を示すフローチャートである。
【図８】図６の制御部により実行される応募処理を示すフローチャートである。
【図９】応募ページの応募枚数選択入力画面の一例を示す図である。
【図１０】図２の制御部により実行される第二抽選処理を示すフローチャートである。
【発明を実施するための形態】
【００１１】
以下、添付図面を参照して本発明に係る好適な実施形態を詳細に説明する。以下の実施形態では、本発明に係る抽選装置をデジタルサイネージ装置２に適用した場合を例にとり説明する。なお、本発明は、図示例に限定されるものではない。
【００１２】
［抽選システム１００の構成］
図１は、本発明の実施形態における抽選システム１００の全体構成を示す図である。抽選システム１００は、店舗で所定金額以上の購入を行った顧客に第一抽選を行い、そのはずれ券の枚数が所定枚数以上となった顧客を対象に第二抽選を行うシステムである。
【００１３】
抽選システム１００は、図１に示すように、サーバ装置１と、各店舗に設けられたデジタルサイネージ装置２及びＥＣＲ（Electronic Cash Resister：電子式金銭登録機）３と、顧客が所有する携帯端末４と、を備えて構成されている。サーバ装置１とデジタルサイネージ装置２、サーバ装置１と携帯端末４は、それぞれ通信ネットワークＮを介して通信接続可能である。通信ネットワークＮは、有線ＬＡＮ（Local Area Network）、無線ＬＡＮ、移動体通信網、インターネット等を含む通信ネットワークである。なお、デジタルサイネージ装置２、ＥＣＲ３、及び携帯端末４の台数は特に限定されない。
【００１４】
［サーバ装置１の構成］
図２は、サーバ装置１の主制御構成を示すブロック図である。サーバ装置１は、顧客毎の第一抽選のはずれ券の枚数を管理したり、第一抽選のはずれ券の枚数が所定枚数以上になった顧客の第二抽選の応募を受け付けて第二抽選を行ったりする装置である。サーバ装置１は、図２に示すように、制御部１１、記憶部１２、通信部１３、計時部１４等を備えて構成されている。
【００１５】
制御部１１は、記憶部１２のプログラム記憶部１２１に記憶されている各種のプログラムを実行して所定の演算や各部の制御を行うＣＰＵ（Central Processing Unit）とプログラム実行時の作業領域となるメモリとを備えている（いずれも図示略）。制御部１１は、記憶部１２のプログラム記憶部１２１に記憶されているプログラムとの協働により、各種処理を実行する。例えば、制御部１１は、顧客毎の第一抽選のはずれ券の枚数を加算又は減算したり、第一抽選のはずれ券の枚数が所定以上になった顧客の第二抽選の応募を受け付けて第二抽選処理を行ったりする。
【００１６】
記憶部１２は、ＨＤＤ（Hard Disk Drive）や不揮発性の半導体メモリ等により構成される。記憶部１２には、図２に示すように、プログラム記憶部１２１が設けられている。プログラム記憶部１２１には、制御部１１で実行されるシステムプログラム、各種処理プログラム、これらのプログラムの実行に必要なデータ等が記憶されている。また、プログラム記憶部１２１には、Ｗｅｂ（World Wide Web）ページをＷｅｂブラウザに提供するＷｅｂサーバとして機能するプログラムが記憶されている。
【００１７】
また、記憶部１２には、はずれ情報記憶部１２２が設けられている。
図３（ａ）に、はずれ情報記憶部１２２のデータ格納例を示す。図３（ａ）に示すように、はずれ情報記憶部１２２には、「ＩＤ情報」に対応付けてはずれ情報としての「はずれ券の枚数」が記憶されている。「ＩＤ情報」は、顧客を識別するためのＩＤであり、ここでは、携帯端末４の非接触通信部４６（図６参照）のＩＣチップに割り当てられている固有ＩＤである。非接触通信部４６（図６参照）のＩＣチップは、携帯端末４に固有であり、携帯端末４は、顧客に携帯されているものであることから、ＩＤ情報により顧客を特定することができる。「はずれ券の枚数」は、ＩＤ情報で識別される顧客が獲得したはずれ券の枚数である。
【００１８】
また、記憶部１２には、応募ページ記憶部１２３が設けられている。応募ページ記憶部１２３には、第二抽選の応募ページの画面の基本フォーマットの情報等が記憶されている。第二抽選の応募ページは、第二抽選に応募するための応募情報を入力するための入力画面を提供するＷｅｂページである。
【００１９】
また、記憶部１２には、第二抽選応募情報記憶部１２４が設けられている。
図３（ｂ）に、第二抽選応募情報記憶部１２４のデータ格納例を示す。図３（ｂ）に示すように、第二抽選応募情報記憶部１２４には、「ＩＤ情報」、「応募枚数」、「氏名」、「住所」、「電話番号」、「メールアドレス」、「抽選結果」等の項目が設けられており、ＩＤ情報に対応付けて、予め定められた抽選期間中において第二抽選の応募時に入力された応募情報を蓄積記憶するとともに、第二抽選の抽選結果を記憶する。
【００２０】
通信部１３は、モデム、ルータ、ネットワークカード等により構成され、通信ネットワークＮに接続された外部機器との通信を行う。
【００２１】
計時部１４は、ＲＴＣ（Real Time Clock）等により構成され、現在日時を取得して制御部１１に出力する。
【００２２】
［デジタルサイネージ装置２の構成］
図４は、デジタルサイネージ装置２の主制御構成を示すブロック図である。デジタルサイネージ装置２は、携帯端末４に記憶されている抽選可能回数を読み取って第一抽選を行い、景品との引き換え券又ははずれ券を付与し、所定枚数以上のはずれ券がたまった場合に第二抽選への応募ページのＵＲＬを携帯端末４に送信する装置である。なお、本実施形態においては、１店舗に１つのデジタルサイネージ装置２が設置されているものとする。
【００２３】
図４に示すように、デジタルサイネージ装置２は、コンテンツの映像光を照射する投影部２１と、投影部２１から照射された映像光を背面で受けて前面に投影するスクリーン部２２とを備えている。
【００２４】
まず、投影部２１について説明する。
投影部２１は、制御部２３と、プロジェクタ２４と、記憶部２５と、通信部２６と、計時部３０と、を備えている。プロジェクタ２４、記憶部２５、通信部２６、計時部３０は、図４に示すように制御部２３に接続されている。
【００２５】
制御部２３は、記憶部２５のプログラム記憶部２５１に記憶されている各種のプログラムを実行して所定の演算や各部の制御を行うＣＰＵとプログラム実行時の作業領域となるメモリとを備えている（いずれも図示略）。制御部２３は、プログラムとの協働により、後述する抽選処理を実行することにより、第一抽選手段として機能する。
【００２６】
プロジェクタ２４は、制御部２３から出力された画像データを映像光に変換してスクリーン部２２に向けて照射する投影装置である。プロジェクタ２４は、例えば、アレイ状に配列された複数個（ＸＧＡの場合、横１０２４画素×縦７６８画素）の微小ミラーの各傾斜角度を個々に高速でオン／オフ動作して表示動作することでその反射光により光像を形成する表示素子であるＤＭＤ（デジタルマイクロミラーデバイス）を利用したＤＬＰ（Digital Light Processing）(登録商標)プロジェクタが適用可能である。
【００２７】
記憶部２５は、ＨＤＤ（Hard Disk Drive）や不揮発性の半導体メモリ等により構成される。記憶部２５には、図４に示すように、プログラム記憶部２５１が設けられている。プログラム記憶部２５１には、制御部２３で実行されるシステムプログラムや、後述する抽選処理を始めとする各種処理を実行するための処理プログラム、これらのプログラムの実行に必要なデータ等が記憶されている。
【００２８】
また、記憶部２５には、第二抽選の応募ページの基本ＵＲＬ等が記憶されている。
【００２９】
通信部２６は、モデム、ルータ、ネットワークカード等により構成され、通信ネットワークＮに接続された外部機器との通信を行う。
【００３０】
計時部３０は、ＲＴＣ等により構成され、現在日時を取得して制御部２３に出力する。
【００３１】
次に、スクリーン部２２について説明する。
図５は、スクリーン部２２の概略構成を示す正面図である。図５に示すようにスクリーン部２２には、画像形成部２７と、画像形成部２７を支持する台座２８とが備えられている。
【００３２】
画像形成部２７は、映像光の照射方向に対して略直交するように配置された、例えばアクリル板などの人型に成形された一枚の透光板２９に、フィルム状のフレネルレンズが積層された背面投影用のフィルムスクリーンが貼付されて構成されたスクリーンである。この画像形成部２７と前述したプロジェクタ２４とにより表示手段を構成している。
【００３３】
台座２８には、ボタン式の操作部３２と、音声を出力するスピーカなどの音声出力部３３と、非接触通信部３４と、プリンタ３５とが設けられている。
【００３４】
操作部３２は、各種機能ボタンを備え、操作ボタンの押下信号を検出して制御部２３に出力する。
【００３５】
非接触通信部３４は、ＮＦＣ（Near Field Communication）等による無線通信機能を備え、携帯端末４と無線通信を行うことにより、携帯端末４のＩＣチップに対してデータの読み書きを行ったり、携帯端末４とデータの送受信を行ったりする。  非接触通信部３４は、出力手段、取得手段、送信手段として機能する。
【００３６】
プリンタ３５は、制御部２３からの指示に従って用紙に景品引き換え券を印刷し、排出口３５１から出力する。
【００３７】
操作部３２、音声出力部３３、非接触通信部３４、プリンタ３５は、図４に示すように制御部２３に接続されている。
【００３８】
［ＥＣＲ３の構成］
ＥＣＲ３は、顧客が購入した商品の個数や売上金額を登録して合計金額を算出したり、売上金を管理したりする金銭登録機である。ＥＣＲ３は、ＮＦＣ等の無線通信機能を備える非接触通信部３ａを備え、携帯端末４と無線通信を行うことにより、携帯端末４のＩＣチップに対してデータの読み書き等を行う。
【００３９】
［携帯端末４の構成］
図６は、携帯端末４の主制御構成を示すブロック図である。携帯端末４は、顧客が携帯しているスマートフォンや携帯電話機等の通信機能を備えた端末であり、図６に示すように、制御部４１、記憶部４２、操作部４３、表示部４４、通信部４５、非接触通信部４６等を備えて構成されている。
【００４０】
制御部４１は、記憶部４２のプログラム記憶部４２１に記憶されている各種のプログラムを実行して所定の演算や各部の制御を行うＣＰＵとプログラム実行時の作業領域となるメモリとを備えている（いずれも図示略）。制御部４１は、記憶部４２のプログラム記憶部４２１に記憶されているプログラムとの協働により、後述する応募処理をはじめとする各種処理を実行する。
【００４１】
記憶部４２は、不揮発性の半導体メモリ等により構成される。記憶部４２には、図６に示すように、プログラム記憶部４２１が設けられている。プログラム記憶部４２１には、制御部４１で実行されるシステムプログラムや各種処理プログラム、Ｗｅｂを閲覧するためのＷｅｂブラウザ、これらのプログラムの実行に必要なデータ等が記憶されている。
【００４２】
操作部４３は、各種機能キーを備え、ユーザによる各キーの押下入力を受け付けてその操作情報を制御部４１に出力する。また、操作部４３は、表示部４４の表面を覆うように透明電極を格子状に配置したタッチパネル等を有し、手指やタッチペン等で押下された位置を検出し、その位置情報を操作情報として制御部４１に出力する。  
【００４３】
表示部４４は、ＬＣＤ（Liquid Crystal Display）等により構成され、制御部４１からの表示制御信号に従って、画面上に各種表示を行う。
【００４４】
通信部４５は、無線により通信ネットワークＮに接続し、通信ネットワークＮに接続された外部機器との通信を行う。
【００４５】
非接触通信部４６は、無線アンテナやＩＣチップを有し、ＮＦＣ等による無線通信機能を備え、デジタルサイネージ装置２やＥＣＲ３と無線通信を行う。非接触通信部４６におけるＩＣチップのメモリには、固有の識別ＩＤであるＩＤ情報が書き込まれている。
【００４６】
［抽選システム１００の動作］
次に、抽選システム１００の動作について説明する。
まず、ＥＣＲ３は、予め定められた抽選期間中において、商品登録及び支払が終了すると、顧客の支払金額（購入金額）に基づく抽選可能回数を算出する。抽選可能回数が１回以上である場合、ＥＣＲ３は、「デジタルサイネージ装置で抽選が○回できます。抽選券を発行しますので携帯端末をかざしてください」等の表示や音声を出力する。非接触通信部３ａにより通信エリア内に携帯端末４が検出されると、ＥＣＲ３は、非接触通信部３ａにより携帯端末４の非接触通信部４６のＩＣチップに抽選券の枚数を示す抽選可能回数を書き込む（既に抽選可能回数が書き込まれている場合は加算する）。
【００４７】
デジタルサイネージ装置２においては、予め定められた抽選期間中に抽選処理が実行される。
図７に、デジタルサイネージ装置２において実行される抽選処理のフローチャートを示す。抽選処理は、予め定められた抽選期間中において、デジタルサイネージ装置２の電源がＯＮとなった際に、制御部２３とプログラム記憶部２５１に記憶されているプログラムとの協働により実行される。
【００４８】
制御部２３は、まず、画像形成部２７に初期画面を表示させる（ステップＳ１）。
初期画面は、例えば、「抽選券が発行された携帯端末をかざすと第一抽選に参加できます。」等のメッセージが表示された画面である。
【００４９】
次いで、制御部２３は、非接触通信部３４により通信エリア内に携帯端末４が検出されるのを待機する。
非接触通信部３４により携帯端末４が検出されると（ステップＳ２；ＹＥＳ）、制御部２３は、非接触通信部３４により携帯端末４から抽選に参加する顧客のＩＤ情報（ＩＣチップのＩＤ情報）及び抽選可能回数を読み取る（ステップＳ３）。
【００５０】
次いで、制御部２３は、読み取った抽選可能回数分の第一抽選を実施する（ステップＳ４）。第一抽選では、例えば、景品ごとに予め当たりの数（又はその残数）に相当する数の番号を割り当てておき、乱数を発生させ、発生した乱数が景品に割り当てられた番号と一致した場合、その景品の当たりとする。発生した乱数がいずれの景品にも割り当てられていない番号である場合は、はずれとする。
【００５１】
第一抽選が終了すると、制御部２３は、抽選結果を画像形成部２７に表示させる（ステップＳ５）。なお、抽選結果は、一回の抽選が終了する毎に表示してもよいし、全部の抽選の終了後にまとめて表示することとしてもよい。併せて音声も出力することとしてもよい。
【００５２】
次いで、制御部２３は、抽選の結果、当たりが存在するか否かを判断する（ステップＳ６）。当たりが存在すると判断した場合（ステップＳ６；ＹＥＳ）、制御部２３は、プリンタ３５により当たった景品の引き換え券を発行して排出口３５１から出力し（ステップＳ７）、ステップＳ８に移行する。当たりが存在しないと判断した場合（ステップＳ６；ＮＯ）、制御部２３は、ステップＳ８に移行する。
【００５３】
ステップＳ８において、制御部２３は、抽選の結果、はずれが存在するか否かを判断する（ステップＳ８）。はずれが存在しないと判断した場合（ステップＳ８；ＮＯ）、制御部２３は、ステップＳ１に戻る。
【００５４】
はずれが存在すると判断した場合（ステップＳ８；ＹＥＳ）、制御部２３は、ステップＳ３で読み取ったＩＤ情報とはずれ回数を通信部２６によりサーバ装置１に送信し、はずれ情報記憶部１２２においてこのＩＤ情報に対応する「はずれ券の枚数」に今回の第一抽選のはずれ回数分の枚数の加算（例えば、はずれ１回＝はずれ券１枚であれば「はずれ回数×１」の加算）を行うように依頼するとともに、加算後のはずれ券の枚数の送信を依頼する（ステップＳ９）。なお、今回の第一抽選のはずれ回数に対応するはずれ券の枚数を制御部２３で算出して送信することとしてもよい。
【００５５】
サーバ装置１において、制御部１１は、通信部１３によりデジタルサイネージ装置２からＩＤ情報及びはずれ回数を受信すると、はずれ情報記憶部１２２において受信したＩＤ情報に対応する「はずれ券の枚数」に今回のはずれ回数に対応する枚数を加算する（加算手段）。受信したＩＤ情報と一致するＩＤ情報がはずれ情報記憶部１２２に存在しない場合には、はずれ情報記憶部１２２に１レコード追加し、受信したＩＤ情報を「ＩＤ情報」に、今回のはずれ回数に対応するはずれ券の枚数を「はずれ券の枚数」に記憶する。そして、制御部１１は、受信したＩＤ情報の加算後の「はずれ券の枚数」、即ち、現在のはずれ券の枚数を通信部１３により送信元のデジタルサイネージ装置２に送信する。
【００５６】
通信部２６によりサーバ装置１から現在のはずれ券の枚数が受信されると（ステップＳ１０；ＹＥＳ）、制御部２３は、現在のはずれ券の枚数がｎ（ｎは第二抽選応募可能な最低枚数）以上であるか否かを判断する（ステップＳ１１）。はずれ券の枚数がｎ以上ではないと判断した場合（ステップＳ１１；ＮＯ）、制御部２３は、ステップＳ１に戻る。
【００５７】
一方、はずれ券の枚数がｎ以上であると判断した場合（ステップＳ１１；ＹＥＳ）、制御部２３は、「はずれ券で第二抽選の応募ができます。応募する場合は携帯端末をかざしてください。」等の案内を画像形成部２７に表示させる（ステップＳ１２）。音声出力部３３により音声案内を出力することとしてもよい。そして、制御部２３は、非接触通信部３４の通信エリア内に携帯端末４が検出されるのを所定時間待機する（ステップＳ１３）。
【００５８】
所定時間内に非接触通信部３４の通信エリア内に携帯端末４が検出されると（ステップＳ１３；ＹＥＳ）、制御部２３は、第二抽選の応募ページのＵＲＬを生成し（ステップＳ１４）、生成した応募ページのＵＲＬを非接触通信部３４により携帯端末４に送信し（ステップＳ１５）、ステップＳ１の処理に戻る。ここで、応募ページは、例えば、ＩＤ情報毎に専用のページとなっており、ステップＳ１４においては、ステップＳ３で読み取ったＩＤ情報に専用の応募ページのＵＲＬを生成する。本実施形態において、応募ページのＵＲＬのフォーマットは、応募ページの基本ＵＲＬの所定の位置にＩＤ情報が含まれる構成であることとする。なお、デジタルサイネージ装置２はステップＳ２、Ｓ３では、ＮＦＣのリーダライタモードでＩＤ情報を読み取り、ステップＳ１５では、リーダライタモードからＰ２Ｐモードに切り替え応募ページのＵＲＬを送信する。
なお、制御部２３は、ステップＳ１３において検出された携帯端末４からＩＤ情報を読み取り、ステップＳ３で読み取られたＩＤ情報と一致した場合にステップＳ１４及びステップＳ１５の処理を行うことが好ましい。
【００５９】
デジタルサイネージ装置２の電源がＯＦＦされるまで、制御部２３は、ステップＳ１〜ステップＳ１５の処理を繰り返し実行する。
【００６０】
携帯端末４においては、非接触通信部４６によりデジタルサイネージ装置２からの応募ページのＵＲＬが受信されると、応募処理を実行する。
【００６１】
図８に、携帯端末４において実行される応募処理のフローチャートを示す。応募処理は、制御部４１とプログラム記憶部４２１に記憶されているプログラムとの協働により実行される。
【００６２】
まず、制御部４１は、表示部４４に第二抽選の応募ページのＵＲＬを表示させる（ステップＳ２１）。
【００６３】
操作部４３によりＵＲＬが押下される等により第二抽選の応募ページのＵＲＬへのアクセスが指示されると（ステップＳ２２；ＹＥＳ）、制御部４１は、Ｗｅｂブラウザを立ち上げ、受信したＵＲＬを通信部４５によりサーバ装置１に送信して第二抽選の応募ページにアクセスする。そして、サーバ装置１から第二抽選の応募ページの応募枚数選択入力画面のデータを取得して表示部４４に応募枚数選択入力画面４４１を表示させる（ステップＳ２３）。ここで、本実施形態において、応募ページは、応募枚数選択入力画面と応募情報入力画面により構成されていることとする。
なお、上述のように、第二抽選の応募ページのＵＲＬにはＩＤ情報が含まれており、サーバ装置１において、制御部１１は、アクセスされたＵＲＬに基づいて、アクセス元のＩＤ情報を特定する。そして、はずれ情報記憶部１２２に記憶されている、特定したＩＤ情報に対応するはずれ券の枚数に対応する応募枚数選択入力画面４４１を応募ページ記憶部１２３に記憶されている画面情報に基づいて生成し、通信部４５により携帯端末４に送信する。
【００６４】
図９に、応募枚数選択入力画面４４１の一例を示す。図９に示すように、応募枚数選択入力画面４４１には、ＩＤ情報で特定される顧客の現在のはずれ券の枚数４４１ａ、応募枚数の選択ボタン４４１ｂ等が表示されている。第二抽選では、応募枚数によって景品が異なる複数のコースが用意されており、はずれ券の枚数に応じたコースの抽選に応募可能である。
【００６５】
次いで、制御部４１は、操作部４３により選択ボタン４４１ａの何れが押下されたか否かを判断する（ステップＳ２４）。
操作部４３により「応募しない」の選択ボタンが押下されたと判断した場合（ステップＳ２４；応募しない）、制御部４１は、応募処理を終了する。
【００６６】
操作部４３により「応募しない」以外の選択ボタンが押下されたと判断した場合（ステップＳ２４；応募しない以外）、制御部４１は、押下された選択ボタンの情報を通信部４５によりサーバ装置１に送信する（ステップＳ２５）。
【００６７】
サーバ装置１においては、通信部１３により携帯端末４からの押下された選択ボタンの情報が受信されると、制御部１１は、アクセス元のＩＤ情報に対応付けて、押下された選択ボタンに対応する応募枚数をメモリに記憶する。そして、制御部１１は、通信部１３により携帯端末４に第二抽選の応募情報入力画面を送信する。
【００６８】
携帯端末４においては、通信部４５により第二抽選の応募情報入力画面（図示せず）が受信されると、制御部４１は、表示部４４に第二抽選の応募情報入力画面を表示させ（ステップＳ２６）、第二抽選の応募情報入力画面上で操作部４３による第二抽選に応募するのに必要な個人情報の入力を受け付ける（ステップＳ２７）。ここで応募情報入力画面から入力する個人情報は、氏名、住所、電話番号、メールアドレス等、当落の通知や景品の発送に必要な情報である。応募枚数の情報及び応募に必要な個人情報は、第二抽選の応募に必要な応募情報である。
【００６９】
操作部４３により送信ボタンが押下されると（ステップＳ２８；ＹＥＳ）、制御部４１は、応募情報入力画面上で入力された応募情報（個人情報）を通信部４５によりサーバ装置１に送信し（ステップＳ２９）、応募処理を終了する。
【００７０】
サーバ装置１においては、通信部１３により携帯端末４から応募情報（個人情報）が受信されると、制御部１１は、第二抽選応募情報記憶部１２４にレコードを追加し、アクセス元のＩＤ情報に対応付けて、メモリに記憶されている応募枚数及び受信した個人情報を記憶させる。これにより第二抽選の応募登録が完了する。
【００７１】
サーバ装置１においては、抽選期間経過後の予め定められた抽選日に第二抽選を行う。
図１０に、サーバ装置１において実行される第二抽選処理のフローチャートを示す。第二抽選処理は、制御部４１とプログラム記憶部４２１に記憶されているプログラムとの協働により実行される。
【００７２】
まず、制御部１１は、第二抽選の抽選日が到来するのを待機する（ステップＳ４１）。
第二抽選の抽選日が到来したと判断した場合（ステップＳ４１；ＹＥＳ）、制御部１１は、第二抽選を実施する（ステップＳ４２）。第二抽選は、例えば、第二抽選応募情報記憶部１２４の「応募枚数」毎にＩＤ情報の抽出を行い、応募枚数毎に、予め定められた当選の数のＩＤ情報をランダムに選択し、当選者のＩＤ情報、落選者のＩＤ情報を決定する。そして、第二抽選応募情報記憶部１２４の「抽選結果」の領域に、抽選結果を格納する。
【００７３】
次いで、制御部１１は、通信部１３により当選者のメールアドレスに当選通知を送信するとともに（ステップＳ４３）、落選者のメールアドレスに落選通知を送信し（ステップＳ４４）、第二抽選処理を終了する。
なお、後日、担当者は第二抽選応募情報記憶部１２４に記憶されている抽選結果を参照し、当選者に対して景品を発送する。
【００７４】
以上説明したように、デジタルサイネージ装置２によれば、非接触通信部３４により携帯端末４が検出されると、制御部２３は、携帯端末４に記憶されているＩＤ情報及び抽選可能回数を非接触通信部３４により読み取り、読み取った回数分の第一抽選を実施する。はずれが存在した場合、制御部２３は、ＩＤ情報とはずれ回数をサーバ装置１に送信し、はずれ情報記憶部１２２のＩＤ情報に対応するはずれ券の枚数に加算を行わせる。加算の結果、はずれ券の枚数≧ｎ（ｎは第二抽選応募可能な最低枚数）となった場合、制御部２３は、第二抽選の応募ページのＵＲＬを非接触通信部３４により携帯端末４に送信する。
【００７５】
従って、顧客は、応募券や応募券の枚数を自分で管理する必要がなくなるので、第一抽選後の第二抽選に容易に応募することが可能となる。また、応募ページのＵＲＬを入力したり、長いシリアル番号を応募券の枚数分入力したりする必要がなくなるので、利便性が向上する。
【００７６】
また、制御部２３は、第一抽選の参加者の携帯端末４から非接触通信により携帯端末固有のＩＤ情報を読み取ることにより第一抽選の参加者を識別するためのＩＤ情報を取得するので、事前に顧客登録を行って顧客ＩＤを取得する等の面倒な手続きをする必要がなく、容易に抽選に参加することが可能となる。
【００７７】
なお、上記実施形態における記述内容は、本発明に係る抽選システム及びデジタルサイネージ装置の好適な一例であり、これに限定されるものではない。
【００７８】
例えば、上記実施形態においては、第一抽選は、当たりかはずれかを判断するものとして説明したが、はずれに第二抽選への応募資格の重みが異なる複数種類のはずれを設けてもよい。そして、はずれの種類毎に、第二抽選への応募資格の重みを異ならせることとしてもよい（例えば、第一のはずれなら３回（第一のはずれのはずれ券３枚）で応募可能、第二のはずれなら１回（第二のはずれのはずれ券１枚）で応募可能等）。
【００７９】
例えば、デジタルサイネージ装置２において、はずれの種類毎にその種類のはずれが出る確率を設定しておき、第一抽選ではずれとなった場合に、制御部２３は、乱数等を用いて設定された確率に基づいてはずれの種類を決定する。そして、サーバ装置１に種類毎のはずれの回数を送信し、サーバ装置１においては、はずれ券の枚数に加算を行う際に、例えば、第１のはずれ＝はずれ券１枚、第２のはずれ＝はずれ券３枚とする等、はずれの種類に応じた重みを乗算した枚数を加算することとしてもよい。
或いは、はずれ情報記憶部１２２において、ＩＤ情報に対応付けてはずれの種類毎のはずれ回数を記憶する領域を設け、はずれの種類毎のはずれ回数をはずれ情報として記憶しておき（即ち、はずれの種類毎にはずれ回数の加算を行い）、携帯端末４に応募ページの応募枚数選択画面４４１を送信する際に、はずれの種類に応じた重みに基づいて、現在のはずれ券の枚数（現在の応募券の枚数）を算出し、これに応じた応募枚数選択画面４４１を生成して送信することとしてもよい。
【００８０】
また、上記実施形態においては、第一抽選をデジタルサイネージ装置２で実行することとして説明したが、サーバ装置１において実行することとしてもよい。
また、上記実施形態においては、第一抽選のはずれ情報を記憶する記憶手段としてのはずれ情報記憶部１２２をサーバ装置１に備え、サーバ装置１においてはずれ回数に基づくはずれ情報への加算及びはずれ情報に基づく第二抽選を行うこととしたが（加算手段、第二抽選手段）、デジタルサイネージ装置２においてはずれ情報記憶部１２２を備える構成とし、はずれ情報の加算及び第二抽選についてもデジタルサイネージ装置２の制御部２３が行うこととしてもよい。また、この場合、デジタルサイネージ装置２と携帯端末４が通信ネットワークＮを介して通信接続可能に構成し、Ｗｅｂサーバとしての機能をデジタルサイネージ装置２に設け、応募ページのＷｅｂページの提供についても、デジタルサイネージ装置２により行うこととしてもよい。即ち、上述したサーバ装置１及びデジタルサイネージ装置２の機能をデジタルサイネージ装置２に備える構成としてもよい。
【００８１】
また、上記実施形態においては、第二抽選の応募関連情報として、第二抽選に応募するための応募情報の入力画面である応募ページのＵＲＬを非接触通信部３４により携帯端末４に送信し、携帯端末４のブラウザによりＵＲＬに基づき応募ページを表示させることとして説明したが、応募ページ表示させる方法としては、これに限定されない。
【００８２】
例えば、上記の抽選に係る専用のアプリを携帯端末４に記憶しておき、はずれ券の枚数（はずれ情報）がｎ枚以上である場合に、現在のはずれ券の枚数及び応募ページの表示指示を非接触通信部３４により顧客の携帯端末４に送信し、現在のはずれ券の枚数に基づいて携帯端末４の専用アプリにより応募ページを生成して表示部４４に表示させることとしてもよい。そして応募ページから入力された応募情報をＩＤ情報に対応付けてサーバ装置１に送信することとしてもよい。
【００８３】
また、現在のはずれ券の枚数（はずれ情報）がｎ枚以上である場合に、デジタルサイネージ装置２の制御部２３により現在のはずれ券の枚数に基づいて応募ページを生成し画像形成部２７に表示させることとしてもよい。即ち、応募ページの画面を応募関連情報として出力してもよい。そして応募ページから入力された応募情報をＩＤ情報に対応付けてサーバ装置１に送信することとしてもよい。
【００８４】
また、上記実施形態においては、応募ページから入力すべき応募情報に景品の発送に必要な住所、電話番号等を含めることとしたが、当落通知に必要な氏名やメールアドレスのみを応募情報としてもよい。そして、当選者への当選通知とともに住所や電話番号等の情報を入力するための入力ページのＵＲＬを送信し、実際に景品の発送を受ける当選者のみにこれらの個人情報の入力を依頼することとしてもよい。このようにすれば、落選者は必要のない情報を入力する手間が省略できるとともに、余計な個人情報を外部に開示する必要もなくなる。
【００８５】
また、上記実施形態においては、携帯端末４との通信手段として、ＮＦＣによる非接触通信を例示したが、他の通信規格としてもよく、特に限定されない。
また、上記実施形態においては、画像形成部２７が人型である場合を例にとり説明したが、他の形状としてもよく、これに限定されるものではない。
【００８６】
また、上記実施形態においては、本発明をプロジェクタからスクリーンに画像を投影することで画像の表示を行うデジタルサイネージ装置に適用した場合を例にとり説明したが、例えば、液晶ディスプレイ、プラズマディスプレイ等、他の表示装置を有する情報処理装置に適用しても同様の効果を奏することができ、この例に限定されない。
【００８７】
その他、デジタルサイネージ装置の細部構成及び細部動作に関しても、発明の趣旨を逸脱することのない範囲で適宜変更可能である。
【００８８】
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
［付記］
＜請求項１＞
第一抽選を行う第一抽選手段と、
前記第一抽選のはずれ情報を記憶する記憶手段と、
前記記憶手段に記憶されているはずれ情報に基づいて、第二抽選の応募関連情報を出力する出力手段と、
を備える抽選装置。
＜請求項２＞
前記出力手段は、前記記憶手段に記憶されているはずれ情報が所定の条件を満たした場合に、前記第二抽選の応募関連情報を出力する請求項１に記載の抽選装置。
＜請求項３＞
前記応募関連情報は、前記第二抽選に応募するための応募情報を入力するための入力画面又は当該入力画面の表示に係る情報である請求項１又は２に記載の抽選装置。
＜請求項４＞
前記入力画面から入力された応募情報を記憶する応募情報記憶手段と、
所定期間内に前記応募情報記憶手段に蓄積された応募情報に基づいて第二抽選を行う第二抽選手段と、
を備える請求項３に記載の抽選装置。
＜請求項５＞
前記記憶手段は、前記第一抽選の参加者を識別するためのＩＤ情報と、前記参加者の前記第一抽選のはずれ回数に基づくはずれ情報とを対応付けて記憶するものであり、
前記第一抽選の参加者を識別するためのＩＤ情報を取得する取得手段と、
前記第一抽選の参加者が前記第一抽選にはずれた場合に、前記取得手段により取得されたＩＤ情報に対応付けて前記記憶手段に記憶されているはずれ情報に加算を行う加算手段と、を備え、
前記出力手段は、前記加算手段による加算の結果、前記取得手段により取得されたＩＤ情報に対応するはずれ情報が所定の条件を満たした場合に、前記第二抽選の応募関連情報の出力を行う請求項１〜４の何れか一項に記載の抽選装置。
＜請求項６＞
前記第一抽選には、はずれの種類が複数存在し、
前記加算手段は、前記第一抽選の参加者が前記第一抽選にはずれた場合に、前記取得手段により取得されたＩＤ情報に対応付けて前記記憶手段に記憶されているはずれ情報に、前記第一抽選におけるはずれの種類に応じた加算を行う請求項５に記載の抽選装置。
＜請求項７＞
前記取得手段は、前記第一抽選の参加者の携帯端末から非接触通信により前記携帯端末固有のＩＤ情報を読み取ることにより前記第一抽選の参加者を識別するためのＩＤ情報を取得する請求項５又は６に記載の抽選装置。
＜請求項８＞
前記携帯端末には、前記第一抽選の抽選可能回数が記憶されており、
前記取得手段は、前記携帯端末から、更に前記第一抽選の抽選可能回数を取得し、
前記第一抽選手段は、前記取得手段により取得された抽選可能回数分の第一抽選を行う請求項７に記載の抽選装置。
＜請求項９＞
前記出力手段は、前記第一抽選の参加者の携帯端末に前記第二抽選の応募関連情報を送信する送信手段である請求項１〜８の何れか一項に記載の抽選装置。
＜請求項１０＞
前記送信手段は、前記携帯端末と非接触通信を行って前記携帯端末に前記第二抽選の応募関連情報を送信する請求項９に記載の抽選装置。
＜請求項１１＞
前記出力手段は、前記第二抽選の応募関連情報を表示する表示手段である請求項１〜８の何れか一項に記載の抽選装置。
＜請求項１２＞
第一抽選を行う工程と、
前記第一抽選のはずれ情報を記憶手段に記憶する工程と、
前記記憶手段に記憶されているはずれ情報に基づいて、第二抽選の応募関連情報を出力する工程と、
を含む抽選方法。
＜請求項１３＞
コンピュータを、
第一抽選を行う第一抽選手段、
前記第一抽選のはずれ情報を記憶する記憶手段、
前記記憶手段に記憶されているはずれ情報に基づいて、第二抽選の応募関連情報を出力する出力手段、
として機能させるためのプログラム。
【符号の説明】
【００８９】
１００  抽選システム
１  サーバ装置
１１  制御部
１２  記憶部
１２１  プログラム記憶部
１２２  はずれ情報記憶部
１２３  応募ページ記憶部
１２４  第二抽選応募情報記憶部
１３  通信部
２  デジタルサイネージ装置
２１  投影部
２２  スクリーン部
２３  制御部
２４  プロジェクタ
２５  記憶部
２５１  プログラム記憶部
２６  通信部
２７  画像形成部
２８  台座
２９  透光板
３２  操作部
３３  音声出力部
３４  非接触通信部
４  携帯端末
４１  制御部
４２  記憶部
４２１  プログラム記憶部
４３  操作部
４４  表示部
４５  通信部
４６  非接触通信部
【図１】
2016062286.tif 000003
【図２】
2016062286.tif 000004
【図３】
2016062286.tif 000005
【図４】
2016062286.tif 000006
【図５】
2016062286.tif 000007
【図６】
2016062286.tif 000008
【図７】
2016062286.tif 000009
【図８】
2016062286.tif 000010
【図９】
2016062286.tif 000011
【図１０】
2016062286.tif 000012